(57)【要約】【課題】どの被検者に用意されたものであるか、被検者の生体情報の測定が可能な状態であるか、測定情報が再生済みか未再生であるか等のステータスを容易に把握することができる携帯型医療用測定装置等を提供する。【解決手段】自装置１０外部の第１給電部４４から供給される電力で駆動される携帯型医療用測定装置１０において、表示部１６と、表示制御部１８と、を備え、前記第１給電部４４から電力が供給された場合、前記表示制御部１８が前記表示部１６にステータス情報を表示することを特徴とする。【選択図】  図２
2018161324.tif 000002
【特許請求の範囲】
【請求項１】
自装置外部の第１給電部から供給される電力で駆動される携帯型医療用測定装置において、
表示部と、
表示制御部と、を備え、
前記第１給電部から電力が供給された場合、前記表示制御部が前記表示部にステータス情報を表示する携帯型医療用測定装置。
【請求項２】
第２給電部をさらに備え、
前記携帯型医療用測定装置は、前記第１給電部又は前記第２給電部から供給される電力で駆動される請求項１に記載の携帯型医療用測定装置。
【請求項３】
前記第１給電部から電力が供給された場合、前記表示制御部が前記表示部にステータス情報を表示する第１モードで駆動され、
前記第２給電部から電力が供給された場合、前記第１モード以外の第２モードで駆動される請求項２に記載の携帯型医療用測定装置。
【請求項４】
前記第２モードは、被検者の生体情報の測定が可能なモードである請求項３に記載の携帯型医療用測定装置。
【請求項５】
前記第２給電部は、前記電力を供給する電池が着脱可能に装着される電池装着部を含む請求項２から４のいずれか１項に記載の携帯型医療用測定装置。
【請求項６】
前記ステータス情報は、メモリの記憶内容に応じて変化する第１ステータス情報、又は、メモリの記憶内容に応じて変化しない第２ステータス情報である請求項１から５のいずれか１項に記載の携帯型医療用測定装置。
【請求項７】
前記メモリが着脱可能に装着されるメモリ装着部をさらに備え、
前記メモリが前記メモリ装着部に装着され、かつ、前記第１給電部から電力が供給された場合、前記表示制御部が前記表示部に前記第１ステータス情報を表示する請求項６に記載の携帯型医療用測定装置。
【請求項８】
前記第１ステータス情報は、被検者情報、被検者の生体情報の測定が可能か不可であるかを表す情報、測定情報未登録を表す情報、測定準備済を表す情報、測定情報が再生済みか未再生であるかを表す情報のうち少なくとも一つである請求項６又は７に記載の携帯型医療用測定装置。
【請求項９】
前記メモリが前記メモリ装着部に装着されず、かつ、前記第１給電部から電力が供給された場合、前記表示制御部が前記表示部に前記第２ステータス情報を表示する請求項７又は８に記載の携帯型医療用測定装置。
【請求項１０】
前記第２ステータス情報は、メモリ未装着を表す情報、バージョン情報、シリアル番号、体位情報、メンテナンスモードのうち少なくとも一つである請求項９に記載の携帯型医療用測定装置。
【請求項１１】
前記メモリには、被検者の生体情報の測定に関する情報が記憶される請求項６から１０のいずれか１項に記載の携帯型医療用測定装置。
【請求項１２】
前記被検者の生体情報の測定に関する情報は、被検者情報、前記被検者情報によって識別される被検者の生体情報の測定情報、及び、前記測定情報が再生済か未再生であるかを識別する識別情報のうち少なくとも一つである請求項１１に記載の携帯型医療用測定装置。
【請求項１３】
前記表示制御部が前記表示部に表示するステータス情報を切り替えるステータス情報切替部をさらに備える請求項１から１２のいずれか１項に記載の携帯型医療用測定装置。
【請求項１４】
前記表示部は、自装置又は自装置外部に設けられたディスプレイまたはインジケータである請求項１から１３のいずれか１項に記載の携帯型医療用測定装置。
【請求項１５】
表示部と表示制御部とを備え、自装置外部の第１給電部から供給される電力で駆動される携帯型医療用測定装置に、
前記第１給電部から電力が供給された場合、前記表示制御部が前記表示部にステータス情報を表示する処理を実行させる医療用測定プログラム。
【発明の詳細な説明】
【技術分野】
【０００１】
本発明は、携帯型医療用測定装置、及び、医療用測定プログラムに関し、特に、ステータスを容易に把握することができる携帯型医療用測定装置（例えば、携帯型ホルター心電計）、及び、医療用測定プログラムに関する。
【背景技術】
【０００２】
従来、医療機器の分野においては、携帯型心電計等の携帯型医療用測定装置が知られている（例えば、特許文献１参照）。
【先行技術文献】
【特許文献】
【０００３】
【特許文献１】特開２０００−２７９３８５号公報
【発明の概要】
【発明が解決しようとする課題】
【０００４】
しかしながら、特許文献１に記載の携帯型心電計においては、携帯型心電計がどの被検者に用意されたものであるか、被検者の生体情報の測定が可能な状態であるか、測定情報が再生済みか未再生であるか等のステータスを容易に把握することができないという課題がある。
【０００５】
本発明は、上記事情に鑑みてなされたものであり、どの被検者に用意されたものであるか、被検者の生体情報の測定が可能な状態であるか、測定情報が再生済みか未再生であるか等のステータスを容易に把握することができる携帯型医療用測定装置（例えば、携帯型ホルター心電計）、及び、医療用測定プログラムを提供することを目的とする。
【課題を解決するための手段】
【０００６】
上記目的を達成するために、本発明の一つの側面は、自装置外部の第１給電部から供給される電力で駆動される携帯型医療用測定装置において、表示部と、表示制御部と、を備え、前記第１給電部から電力が供給された場合、前記表示制御部が前記表示部にステータス情報を表示することを特徴とする。
【０００７】
この側面によれば、どの被検者に用意されたものであるか、被検者の生体情報の測定が可能な状態であるか、測定情報が再生済みか未再生であるか等のステータスを容易に把握することができる携帯型医療用測定装置を提供することができる。
【０００８】
どの被検者に用意されたものであるかを容易に把握することができるのは、測定装置に第１給電部からの電力を供給するだけで、表示部にステータス情報（例えば、被検者情報）が表示されることによるものである。
【０００９】
被検者の生体情報の測定が可能な状態であるかを容易に把握することができるのは、測定装置に第１給電部からの電力を供給するだけで、表示部にステータス情報（例えば、被検者の生体情報の測定が可能か不可であるかを表す情報）が表示されることによるものである。
【００１０】
測定情報が再生済みか未再生であるかを容易に把握することができるのは、測定装置に第１給電部からの電力を供給するだけで、表示部にステータス情報（例えば、測定情報が再生済みか未再生であるかを表す情報）が表示されることによるものである。
【図面の簡単な説明】
【００１１】
【図１】測定装置１０、解析器５０を備えたシステムの概略構成図である。
【図２】測定装置１０のハード構成図である。
【図３】ＳＤカード４２に記憶される情報の例である。
【図４】ステータス情報表示モードと測定モードとの切替動作例を説明するためのフローチャートである。
【図５】ステータス情報表示モードの動作例を説明するためのフローチャートである。
【図６】測定モードの動作例を説明するためのフローチャートである。
【図７】（ａ）被検者ＩＤの確認画面の例、（ｂ）心電図の波形確認画面の例である。
【図８】測定装置１０等の使用例を説明するためのシーケンス図である。
【図９】ディスプレイ５４に表示される入力画面の例である。
【図１０】変形例を説明するための図である。
【発明を実施するための形態】
【００１２】
以下、本発明の一実施形態である携帯型医療用測定装置１０（以下、測定装置１０という）について添付図面を参照しながら説明する。各図において対応する構成要素には同一の符号が付され、重複する説明は省略される。
【００１３】
［測定装置１０及び解析器５０を備えたシステムの概要］
図１は、測定装置１０及び解析器５０を備えたシステムの概略構成図である。図２は、測定装置１０のハード構成図である。
【００１４】
測定装置１０は、被検者が携帯し、生活環境下で長時間（例えば、２４時間）被検者の生体情報（本実施形態では心電図）の測定及び記憶（記録）を行う装置（本実施形態ではホルター心電計）である。心電図データは、測定装置１０に着脱可能に装着されたＳＤカード４２にファイルとして記憶される。
【００１５】
測定装置１０は、第１給電部４４（例えば、解析器５０を構成するコンピュータ本体５２）又は第２給電部２６（電池装着部２６ａに装着された電池）から供給される電力で駆動される。測定装置１０は、第１給電部４４から電力が供給された場合、表示制御部１８が表示部１６にステータス情報（例えば、図５中の画面Ｇ１〜Ｇ６参照）を表示する第１モード（以下、ステータス情報表示モードという）で駆動され、第２給電部２６から電力が供給された場合、心電図の測定が可能な第２モード（以下、測定モードという）で駆動される。このように、測定装置１０は、電力の供給経路に応じたモードで駆動される。
【００１６】
解析器５０は、コンピュータ本体５２、当該コンピュータ本体５２に接続されたディスプレイ５４、キーボードやマウス等の入力装置（図示せず）等を備える。コンピュータ本体５２には専用アプリケーションプログラムがインストールされており、コンピュータ本体５２は、当該専用アプリケーションプログラムを実行することで、ＳＤカード４２に入力装置から入力された被検者情報を記憶する処理、ＳＤカード４２から心電図データを読み込み、ディスプレイ５４に表示する処理等を実行する。
【００１７】
［測定装置１０のハード構成］
図２に示すように、測定装置１０は、心電図測定回路１２、Ａ／Ｄ変換器１４、表示部１６、表示制御部１８、スイッチ２０、メモリ装着部２２、Ｉ／Ｆ２４、第２給電部２６、ＣＰＵ２８、ＲＯＭ３０、ＲＡＭ３２等を備える。
【００１８】
測定装置１０（ＣＰＵ２８等の電子部品）は、自装置外部の第１給電部４４から供給される電力、又は、第２給電部２６（電池装着部２６ａに装着された電池）から供給される電力で駆動される。
【００１９】
第１給電部４４は、例えば、コンピュータ本体５２（ＵＳＢケーブルＣ１が接続されるＵＳＢコネクタ）又は商用電源（ＵＳＢケーブルＣ１が接続されるＵＳＢ電源アダプタ）である。第１給電部４４からの電力は、測定装置１０（Ｉ／Ｆ２４）と第１給電部４４とをＵＳＢケーブルＣ１で接続した場合、当該ＵＳＢケーブルＣ１を介して測定装置１０に供給される。
【００２０】
第２給電部２６からの電力は、電池装着部２６ａに電池を装着した場合（さらに、電源スイッチ２０ａをオンした場合）、測定装置１０に供給される。
【００２１】
心電図測定回路１２には、被検者に装着される電極４０が誘導コードＣ２を介して接続される。心電図測定回路１２は、誘導コードＣ２を介して入力される信号を増幅等して心電図信号（ＥＣＧ信号）として出力する。
【００２２】
Ａ／Ｄ変換器１４は、心電図測定回路１２から入力される心電図信号（アナログ信号）を所定周波数でサンプリングして心電図データ（ディジタル値）に変換する。
【００２３】
表示部１６は、例えば、液晶ディスプレイ（ＬＣＤ）である。
【００２４】
表示制御部１８は、ＣＰＵ２８からの制御に従って表示部１６にステータス情報（例えば、図５中の画面Ｇ１〜Ｇ６参照）等を表示する。
【００２５】
スイッチ２０は、電源スイッチ２０ａ、測定者等が心電図の測定の開始の際に操作（例えば、押下）する測定開始スイッチ２０ｂ、測定者等が心電図の測定の終了の際に操作する測定終了スイッチ２０ｃを含む。なお、一つのスイッチが複数のスイッチ（電源スイッチ２０ａ、測定開始スイッチ２０ｂ、及び、測定終了スイッチ２０ｃのうち少なくとも２つのスイッチ）を兼ねてもよい。
【００２６】
メモリ装着部２２は例えばＳＤカードスロットで、メモリ装着部２２には、ＳＤカード４２が着脱可能に装着される。ＳＤカード４２が本発明のメモリに相当する。
【００２７】
図３は、ＳＤカード４２に記憶される情報の例である。
【００２８】
ＳＤカード４２には、被検者の生体情報の測定に関する情報が記憶される。具体的には、図３に示すように、ＳＤカード４２には、被検者氏名、被検者ＩＤ等の被検者情報４２ａ、被検者情報４２ａによって識別される被検者の生体情報としての心電図データ４２ｂ、及び、心電図データ４２ｂがコンピュータ本体５２に読み込み済みであること（再生済みであること）を識別する情報４２ｃ（以下、読み込み済み識別情報４２ｃという）が記憶される。
【００２９】
Ｉ／Ｆ２４は、例えば、ＵＳＢケーブルＣ１が接続されるＵＳＢコネクタである。
【００３０】
第２給電部２６は、電池装着部２６ａを含む。電池装着部２６ａには、測定装置１０に電力を供給する電池（例えば、アルカリ乾電池や充電式乾電池）が着脱可能に装着される。
【００３１】
ＣＰＵ２８は、ＲＯＭ３０からＲＡＭ３２に読み込まれた制御プログラムを実行することで、図３に示す各情報をメモリ装着部２２に装着されたＳＤカード４２に記憶する処理、表示制御部１８が表示部１６にステータス情報を表示するステータス情報表示モード又は被検者の生体情報（本実施形態では心電図）の測定が可能な測定モードに移行する処理等を実行する。制御プログラムが本発明の医療用測定プログラムに相当する。
【００３２】
［ステータス情報表示モードと測定モードとの切替動作例］
図４は、ステータス情報表示モードと測定モードとの切替動作例を説明するためのフローチャートである。
【００３３】
図４に示すように、Ｉ／Ｆ２４にＵＳＢケーブルＣ１が接続されて、第１給電部４４から電力が供給された場合（ステップＳ１０：Ｙｅｓ）、測定装置１０は、ステータス情報表示モードで駆動される（ステップＳ１２）。これは、例えば、ＣＰＵ２８が、制御プログラムを実行して、ステータス情報表示モードに移行する処理を実行することで実現される。
【００３４】
一方、電池装着部２６ａに電池が装着されて（さらに、電源スイッチ２０ａがオンされて）、第２給電部２６から電力が供給された場合（ステップＳ１４：Ｙｅｓ）、測定装置１０は、測定モードで駆動される（ステップＳ１６）。これは、例えば、ＣＰＵ２８が、制御プログラムを実行して、測定モードに移行する処理を実行することで実現される。
【００３５】
［ステータス情報表示モードの動作例］
図５は、ステータス情報表示モードの動作例を説明するためのフローチャートである。
【００３６】
以下の処理は、主に、ＣＰＵ２８がＲＯＭ３０からＲＡＭ３２に読み込まれた制御プログラムを実行することで実現される。なお、以下の説明では、電池装着部２６ａに電池が装着されていないものとする。
【００３７】
測定装置１０（主に、ＣＰＵ２８。以下同様）は、ステータス情報表示モードで駆動された場合、まず、ＳＤカード４２がメモリ装着部２２に装着されているか否かを判定する（ステップＳ１２０２）。
【００３８】
その結果、ＳＤカード４２がメモリ装着部２２に装着されていない場合（ステップＳ１２０２：Ｎｏ）、表示制御部１８は、表示部１６にステータス情報として「測定不可  ＳＤカードが装着されていません」のように、ＳＤカード未装着を表す情報を含む画面Ｇ１を表示する。
【００３９】
一方、ステップＳ１２０２の判定の結果、ＳＤカード４２がメモリ装着部２２に装着されている場合（ステップＳ１２０２：Ｙｅｓ）、測定装置１０は、当該測定装置１０が認識していないファイル（例えば、文書ファイル）がＳＤカード４２に記憶されているか否かを判定する（ステップＳ１２０４）。
【００４０】
その結果、測定装置１０が認識していないファイルがＳＤカード４２に記憶されている場合（ステップＳ１２０４：Ｙｅｓ）、表示制御部１８は、表示部１６にステータス情報として「測定不可  不明ファイルがあります」の画面Ｇ２を表示する。
【００４１】
一方、ステップＳ１２０４の判定の結果、測定装置１０が認識していないファイルがＳＤカード４２に記憶されていない場合（ステップＳ１２０４：Ｎｏ）、測定装置１０は、ＳＤカード４２に読み込み済み識別情報４２ｃが記憶されているか否かを判定する（ステップＳ１２０６）。
【００４２】
その結果、ＳＤカード４２に読み込み済み識別情報４２ｃが記憶されている場合（ステップＳ１２０６：Ｙｅｓ）、表示制御部１８は、表示部１６にステータス情報として「測定可  再生済データ有  ＩＤ：１２３４５６７８９  氏名：コンデンタロコ」の画面Ｇ３を表示する。
【００４３】
一方、ステップＳ１２０６の判定の結果、ＳＤカード４２に読み込み済み識別情報４２ｃが記憶されていない場合（ステップＳ１２０６：Ｎｏ）、測定装置１０は、ＳＤカード４２に未読み込みファイル（心電図データ４２ｂ）が記憶されているか否かを判定する（ステップＳ１２０８）。
【００４４】
その結果、ＳＤカード４２に未読み込みファイル（心電図データ４２ｂ）が記憶されている場合（ステップＳ１２０８：Ｙｅｓ）、表示制御部１８は、表示部１６にステータス情報として「未再生データ有  ＩＤ：１２３４５６７８９  氏名：コンデンタロコ」の画面Ｇ４を表示する。
【００４５】
一方、ステップＳ１２０８の判定の結果、ＳＤカード４２に未読み込みファイル（心電図データ４２ｂ）が記憶されていない場合（ステップＳ１２０８：Ｎｏ）、測定装置１０は、ＳＤカード４２に被検者情報４２ａが記憶されているか否かを判定する（ステップＳ１２１０）。
【００４６】
その結果、ＳＤカード４２に被検者情報が記憶されている場合（ステップＳ１２１０：Ｙｅｓ）、表示制御部１８は、表示部１６にステータス情報として「測定可：測定準備済  ＩＤ：１２３４５６７８９  氏名：コンデンタロコ」の画面Ｇ５を表示する。
【００４７】
一方、ステップＳ１２１０の判定の結果、ＳＤカード４２に被検者情報が記憶されていない場合（ステップＳ１２１０：Ｎｏ）、表示制御部１８は、表示部１６にステータス情報として「測定可：測定情報未登録」の画面Ｇ６を表示する。
【００４８】
［ステータス情報の例］
測定装置１０がステータス情報表示モードで駆動された場合に表示部１６に表示されるステータス情報には、ＳＤカード４２の記憶内容に応じて変化する第１ステータス情報と、ＳＤカード４２の記憶内容に応じて変化しない第２ステータス情報と、がある。
【００４９】
第１ステータス情報は、例えば、被検者情報（例えば、図５に示す画面Ｇ３〜Ｇ５中の「ＩＤ」、「氏名」参照）、心電図の測定が可能か不可であるかを表す情報（例えば、図５に示す画面Ｇ１〜Ｇ３、Ｇ５、Ｇ６中の「測定不可」、「測定可」参照）、測定情報未登録を表す情報（例えば、図５に示す画面Ｇ６中の「測定情報未登録」参照）、測定準備済を表す情報（例えば、図５に示す画面Ｇ５中の「測定準備済」参照）、測定情報（心電図データ４２ｂ）が再生済みか未再生であるかを表す情報（例えば、図５に示す画面Ｇ３、Ｇ４中の「再生済データ有」、「未再生データ有」参照）のうち少なくとも一つである。
【００５０】
具体的には、図５に示す画面Ｇ２〜Ｇ６が第１ステータス情報の一例である。
【００５１】
第２ステータス情報は、例えば、メモリ未装着を表す情報（例えば、図５に示す画面Ｇ１中の「ＳＤカードが装着されていません」参照）、バージョン情報（図示せず）、シリアル番号（図示せず）、体位情報（図示せず）、メンテナンスモード（図示せず）のうち少なくとも一つである。
【００５２】
具体的には、図５に示す画面Ｇ１が第２ステータス情報の一例である。
【００５３】
なお、バージョン情報は、ＲＯＭ３０に記憶された制御プログラム（ファームウェア）のバージョン情報である。シリアル番号は、測定装置１０の製造番号である。体位情報は、測定装置１０が備える被検者の体位を計測する３軸の加速度センサ（図示せず）が正常に動作しているかの情報（アイコン又は文字列）である。メンテナンスモードは、例えば、Bluetooth（登録商標）の接続名称である。
【００５４】
［測定モードの動作例］
図６は、測定モードの動作例を説明するためのフローチャートである。
【００５５】
以下の処理は、主に、ＣＰＵ２８がＲＯＭ３０からＲＡＭ３２に読み込まれた制御プログラムを実行することで実現される。なお、以下の説明では、Ｉ／Ｆ２４にＵＳＢケーブルＣ１が接続されていないものとする。
【００５６】
表示制御部１８は、測定モードで駆動された場合、まず、表示部１６に被検者ＩＤの確認画面（図７（ａ）参照）、被検者氏名の確認画面（図示せず）、心電図の波形確認画面（図７（ｂ）参照）等を表示する（ステップＳ１６０２）。図７（ａ）は被検者ＩＤの確認画面の例、図７（ｂ）は心電図の波形確認画面の例である。
【００５７】
次に、測定装置１０（主に、ＣＰＵ２８。以下同様）は、測定開始スイッチ２０ｂが押下されたか否かを判定する（ステップ Ｓ１６０４）。
【００５８】
その結果、測定開始スイッチ２０ｂが押下された場合（ステップＳ１６０４：Ｙｅｓ）、測定装置１０は、ＳＤカード４２に心電図データを記憶する（ステップＳ１６０６）。
【００５９】
次に、測定装置１０は、測定終了スイッチ２０ｃが押下されたか否かを判定する（ステップ Ｓ１６０８）。
【００６０】
その結果、測定終了スイッチ２０ｃが押下された場合（ステップＳ１６０８：Ｙｅｓ）、測定装置１０は、ＳＤカード４２への心電図データの記憶を終了する（ステップＳ１６０８：Ｙｅｓ）。
【００６１】
一方、ステップＳ１６０８の判定の結果、測定終了スイッチ２０ｃが押下されていない場合、上記ステップＳ１６０６、Ｓ１６０８の処理が繰り返し実行される。
【００６２】
［測定装置１０等の使用例］
図８は、測定装置１０等の使用例を説明するためのシーケンス図である。
【００６３】
なお、以下の説明では、ＳＤカード４２が解析器５０を構成するコンピュータ本体５２のＳＤカードスロットに装着されているか、又は、メモリ装着部２２にＳＤカード４２が装着された測定装置１０（Ｉ／Ｆ２４）とコンピュータ本体５２とが、ＵＳＢケーブルＣ１で接続されているものとする。なお、この時点でＳＤカード４２には、図３に示す各情報は記憶されていないものとする。
【００６４】
まず、測定者等がコンピュータ本体５２に接続されたキーボード等の入力装置（図示せず）から被検者氏名、被検者ＩＤ等の被検者情報を入力し（ステップＳ２０）、当該入力した被検者情報をＳＤカード４２に記憶する（ステップＳ２２）。被検者情報は、例えば、解析器５０を構成するディスプレイ５４に表示される入力画面（図９参照）を介して入力される。図９は、ディスプレイ５４に表示される入力画面の例である。
【００６５】
次に、測定者等は、ステップＳ２０で入力された被検者情報が記憶されたＳＤカード４２が装着された測定装置１０を被検者に装着する前に、その測定装置１０が該当の被検者に用意されたものであるかを把握するために、その測定装置１０（Ｉ／Ｆ２４）にＵＳＢケーブルＣ１を接続する（ステップＳ２４）。これにより、第１給電部４４から電力が供給され、測定装置１０は、ステータス情報表示モードで駆動され（ステップＳ１２）、表示部１６にステータス情報として例えば図５に示す画面Ｇ５を表示する。もちろん、測定装置１０は、ＳＤカード４２の装着状態、ＳＤカード４２の記憶内容に応じて画面Ｇ５以外の画面Ｇ１〜Ｇ４、Ｇ６を表示する場合がある。
【００６６】
測定者等は、その表示部１６に表示されたステータス情報（ここでは、図５に示す画面Ｇ５中の「ＩＤ」、「氏名」、「測定可：測定準備済」）を確認して、測定装置１０が該当の被検者に用意されたものであり、かつ、心電図の測定が可能な状態であることを把握する。そして、測定者等は、測定装置１０からＵＳＢケーブルＣ２を取り外し（ステップＳ２６）、その取り外した測定装置１０や電極４０を該当の被検者に装着する（ステップＳ２８）。
【００６７】
次に、測定者等は、測定装置１０（電池装着部２６ａ）に電池を装着し（ステップＳ３０）、電源スイッチ２０ａをオンにする（ステップＳ３２）。これにより、第２給電部２６から電力が供給され、測定装置１０は、測定モードで駆動される（ステップＳ１６）。このように測定装置１０（電池装着部２６ａ）に電池を心電図の測定開始の直前に装着するのは、電池の消耗をできる限り抑制するためである。
【００６８】
表示制御部１８は、測定モードで駆動された場合、まず、表示部１６に被検者ＩＤの確認画面（図７（ａ）参照）、被検者氏名の確認画面、心電図の波形確認画面（図７（ｂ）参照）等を表示する（ステップＳ３４）。
【００６９】
次に、測定者等が測定開始スイッチ２０ｂを押下した場合（ステップＳ３６）、測定装置１０は、ＳＤカード４２への心電図データの記憶を開始する（ステップＳ３８）。
【００７０】
そして、測定者等が測定終了スイッチ２０ｃを押下した場合（ステップＳ４０）、測定装置１０は、ＳＤカード４２への心電図データの記憶を終了する（ステップＳ４２）。
【００７１】
次に、測定者等が上記のようにして心電図データが記憶されたＳＤカード４２を、解析器５０を構成するコンピュータ本体５２のＳＤカードスロットに装着する。又は、メモリ装着部２２にＳＤカード４２が装着された測定装置１０（Ｉ／Ｆ２４）とコンピュータ本体５２とを、ＵＳＢケーブルＣ１で接続する。
【００７２】
次に、測定者等が解析器５０を構成するコンピュータ本体５２に接続されたキーボード等の入力装置（図示せず）からＳＤカード４２に記憶された心電図データ４２ｂの読み込みを入力（指示）する（ステップＳ４４）。
【００７３】
次に、解析器５０を構成するコンピュータ本体５２が、ＳＤカード４２から心電図データ４２ｂを読み込み（ステップＳ４６）、心電図データの読み込み完了後、読み込み済み識別情報をＳＤカード４２に記憶する（ステップＳ４８）。
【００７４】
［実施形態の効果］
以上説明したように、本実施形態によれば、どの被検者に用意されたものであるか、被検者の生体情報（心電図）の測定が可能な状態であるか、測定情報（心電図データ４２ｂ）が再生済みか未再生であるか等のステータスを容易に把握することができる携帯型医療用測定装置１０、及び、医療用測定プログラムを提供することができる。
【００７５】
どの被検者に用意されたものであるかを容易に把握することができるのは、測定装置１０（Ｉ／Ｆ２４）にＵＳＢケーブルＣ１を接続し、当該測定装置１０に第１給電部４４からの電力を供給するだけで、表示部１６にステータス情報（例えば、被検者情報を含む画面Ｇ５）が表示されることによるものである。
【００７６】
このステータス情報（例えば、被検者情報を含む画面Ｇ５）を確認することで、例えば、生体情報の測定を行う人数分（例えば、３０人分）のＳＤカード４２と測定装置１０とをセットで用意した場合であっても、各々の被検者に該当の被検者情報が記憶されたＳＤカード４２が装着された測定装置１０を誤りなく装着することができる。
【００７７】
被検者の生体情報（心電図）の測定が可能な状態であるかを容易に把握することができるのは、測定装置１０（Ｉ／Ｆ２４）にＵＳＢケーブルＣ１を接続し、当該測定装置１０に第１給電部４４からの電力を供給するだけで、表示部１６にステータス情報（例えば、「測定可」を含む画面Ｇ５）が表示されることによるものである。
【００７８】
測定情報（心電図データ４２ｂ）が再生済みか未再生であるかを容易に把握することができるのは、測定装置１０（Ｉ／Ｆ２４）にＵＳＢケーブルＣ１を接続し、当該測定装置１０に第１給電部４４からの電力を供給するだけで、表示部１６にステータス情報（例えば、「再生済みデータ有」又は「未再生データ有」を含む画面Ｇ３、Ｇ４）が表示されることによるものである。
【００７９】
また、本実施形態によれば、測定装置１０を電力の供給経路に応じたモードで駆動させることができる。
【００８０】
例えば、第１給電部４４から電力が供給された場合、測定装置１０をステータス情報表示モードで駆動させることができる。また、第２給電部２６から電力が供給された場合、測定装置１０を測定モードで駆動させることができる。
【００８１】
これにより、例えば、測定装置１０がステータス情報表示モードで駆動されている間に、心電図の測定が意図せず開始するのを防止することができる。
【００８２】
また、本実施形態によれば、ＳＤカード４２の装着状態及びＳＤカード４２の記憶内容に応じたステータス情報を表示することができる。
【００８３】
例えば、ＳＤカード４２がメモリ装着部２２に装着され、かつ、第１給電部４４から電力が供給された場合、表示部１６にＳＤカード４２の記憶内容に応じて変化する第１ステータス情報を表示することができる。また、ＳＤカード４２がメモリ装着部２２に装着されず、かつ、第１給電部４４から電力が供給された場合、表示部１６にＳＤカード４２の記憶内容に応じて変化しない第２ステータス情報を表示することができる。
【００８４】
また、本実施形態によれば、測定装置１０に電池を装着することなく、ステータス情報を確認することができる。これは、測定装置１０（Ｉ／Ｆ２４）にＵＳＢケーブルＣ１を接続し、当該測定装置１０に第１給電部４４からの電力を供給するだけで、表示部１６にステータス情報が表示されることによるものである。
【００８５】
これにより、測定装置１０に電池を装着するタイミングを心電図の測定開始の直前まで遅らせることができる。その結果、電池の消耗をできる限り抑制することができる。
【００８６】
［変形例］
次に、変形例について説明する。
【００８７】
上記実施形態では、本発明の携帯型医療用測定装置を長時間心電用データレコーダ（ホルター心電計）に適用した例について説明したが、これに限らない。すなわち、本発明の携帯型医療用測定装置は、被検者または医療従事者が携帯する生体情報の測定及び記憶（記録）を行う装置であれば良く、例えば、睡眠中の鼻呼吸、気道音等の測定及び記憶（記録）を行う携帯型睡眠時無呼吸測定装置にも本発明の携帯型医療用測定装置を適用してもよい。
【００８８】
また、上記実施形態では、測定モードで測定される被検者の生体情報が心電図である例について説明したが、これに限らない。測定モードで測定される被検者の生体情報は、睡眠中の鼻呼吸、気道音等であってもよいし、その他の生体情報であってもよい。
【００８９】
また、上記実施形態では、第１給電部４４からの電力を測定装置１０に有線（例えば、ＵＳＢケーブルＣ１）で供給する例について説明したが、これに限らない。例えば、第１給電部４４からの電力を測定装置１０に無線（ワイヤレス）で供給してもよい。
【００９０】
また、上記実施形態では、メモリ装着部２２に着脱可能に装着されるメモリとして、ＳＤカード４２を用いた例について説明したが、これに限らない。例えば、メモリ装着部２２に着脱可能に装着されるメモリとして、ＵＳＢメモリ等の他の可搬記憶媒体を用いてもよい。また、ＵＳＢ接続（または他の接続方式）によってデータを読み出すことが可能な着脱不可の記憶媒体を用いてもよい。例えば、メモリ装着部２２が無い、またはメモリ装着部２２からメモリが読み出せない構成であってもよい。）。
【００９１】
また、上記実施形態では、図３に示す各情報を記憶する記憶媒体として、ＳＤカード４２等の可搬記憶媒体を用いた例について説明したが、これに限らない。例えば、図３に示す各情報を記憶する記憶媒体として、ＲＯＭ３０やＲＡＭ３２等の他の記憶媒体を用いてもよい。
【００９２】
また、上記実施形態では、第１給電部４４から電力が供給された場合、ステータス情報を測定装置１０の表示部１６に表示する例について説明したが、これに限らない。例えば、第１給電部４４から電力が供給された場合、ステータス情報を測定装置１０外部に設けられたディスプレイ（例えば、解析器５０のディスプレイ５４）に表示してもよい。このようにすれば、より大きな画面でステータス情報を確認することができる。なお、ディスプレイに限られず、表示色や点灯パターンによりステータス情報を報知するインジケータを用いることも可能である。すなわち表示部１６は、好適にはディスプレイであるものの、ランプ等のインジケータであってもよい。
【００９３】
また、上記実施形態では、測定装置１０がステータス情報表示モードで駆動された場合に表示部１６に表示されるステータス情報が図５に示す画面Ｇ１〜Ｇ６である例について説明したが、これに限らない。
【００９４】
例えば、測定装置１０がステータス情報表示モードで駆動された場合に表示部１６にステータス情報として、さらに、記録日数（測定装置１０を何日間動作させる設定にしているか）、電池種別（アルカリまたはニッケル水素のどちらの電池で動作させる設定にしているか）、ペーシング検出チャネル（ペースメーカのパルスの検出をどの誘導で行う設定にしているか）、時定数（どの時定数で心電図波形を記録する設定にしているか）等を追加表示してもよい。
【００９５】
記録日数、電池種別、ペーシング検出チャネル、時定数は、画面Ｇ１〜Ｇ６と同じ画面に表示してもよいし、画面Ｇ１〜Ｇ６と別の画面に表示してもよい。
【００９６】
例えば、図１０（ａ）に示すように、表示部１６の表示可能行数を３行から５行に増やすことで、記録日数等を画面Ｇ１〜Ｇ６と同じ画面に表示することができる。
【００９７】
また、図１０（ｂ）に示すように、例えば、画面Ｇ５から画面Ｇ７に切り替えることで、記録日数等を画面Ｇ１〜Ｇ６と別の画面に表示することができる。
【００９８】
なお、画面の切り替え（例えば、画面Ｇ５から画面Ｇ７への切り替え）は、測定装置１０に画面切り替えスイッチを設け、これを手動操作することで行ってもよいし、予め設定された時間経過するごとに自動的に行ってもよい。これが本発明のステータス情報切替部に相当する。このように画面を切り替えることで、より多くのステータス情報を確認することができる。
【００９９】
また、図１０（ｂ）に示すように、画面全体を切り替えてもよいし、図１０（ａ）、図１０（ｃ）に示すように、画面の一部（例えば、下２行）を切り替えてもよい。
【０１００】
上記実施形態で示した各数値は全て例示であり、これと異なる適宜の数値を用いることができるのは無論である。
【０１０１】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【０１０２】
１０…携帯型医療用測定装置、１２…心電図測定回路、１４…Ａ／Ｄ変換器、１６…表示部、１８…表示制御部、２０…スイッチ、２０ａ…電源スイッチ、２０ｂ…測定開始スイッチ、２０ｃ…測定終了スイッチ、２２…メモリ装着部、２４…Ｉ／Ｆ、２６…第２給電部、２６ａ…電池装着部、２８…ＣＰＵ、３０…ＲＯＭ、３２…ＲＡＭ、４０…電極、４２…ＳＤカード、４２ａ…被検者情報、４２ｂ…心電図データ、４２ｃ…識別情報、４４…第１給電部、５０…解析器、５２…コンピュータ本体、５４…ディスプレイ、Ｃ１…ＵＳＢケーブル、Ｃ２…誘導コード、Ｇ１〜Ｇ７…画面
【図１】
2018161324.tif 000003
【図２】
2018161324.tif 000004
【図３】
2018161324.tif 000005
【図４】
2018161324.tif 000006
【図５】
2018161324.tif 000007
【図６】
2018161324.tif 000008
【図７】
2018161324.tif 000009
【図８】
2018161324.tif 000010
【図９】
2018161324.tif 000011
【図１０】
2018161324.tif 000012